(57)【要約】【課題】メモリのページサイズを転送すべきデータ量に応じて変更することによって効率的なＤＭＡ転送を行い無駄な電力消費を防止し得る撮像装置を提供する。【解決手段】撮像素子からの画像情報は、ＤＭＡ転送部１０を介して内部メモリ１２に記憶され、その後、輝度色差信号の作成、解像度の変換、圧縮記憶、表示などのためＤＭＡ転送部１０内を何度も転送されるが、内部メモリ１２のページサイズをＤＭＡ転送部のトラフィックに応じて適切な大きさに設定することにより効率的且つ無駄な消費電力のないＤＭＡ転送が行える。【選択図】図１
2006253993.tif 000002
【特許請求の範囲】
【請求項１】
被写体像が写し込まれる撮像素子と、この撮像素子に写し込まれた前記被写体像の画像情報をＤＭＡ転送するＤＭＡ転送手段と、ページ単位でメモリを管理するメモリ管理機能を備え前記ＤＭＡ転送手段を介して送られてくる前記画像情報を記憶する画像情報記憶手段と、この画像情報記憶手段に記憶された前記画像情報が前記ＤＭＡ転送手段を介して供給されこの供給された画像情報を表示する表示手段と、前記画像情報記憶手段の前記ページ単位のサイズを変更するページサイズ変更手段とを備えたことを特徴とする撮像装置。
【請求項２】
更に、前記画像情報記憶手段に記憶された画像情報が前記ＤＭＡ転送手段を介して供給されこの供給された画像情報の解像度を変換し、この変換された画像情報を前記ＤＭＡ転送手段を介して前記表示手段に供給する解像度変換手段を備えていることを特徴とする請求項１に記載の撮像装置。
【請求項３】
更に、前記画像情報記憶手段に記憶された画像情報が前記ＤＭＡ転送手段を介して供給されこの供給された画像情報を圧縮して圧縮画像情報に変換しこの圧縮画像情報を前記ＤＭＡ転送手段に供給する圧縮手段と、この圧縮手段からの前記圧縮画像情報を前記ＤＭＡ転送手段を介して受取りこの受け取った圧縮画像情報を記憶する圧縮画像記憶手段とを備えたことを特徴とする請求項１又は２に記載の撮像装置。
【請求項４】
更に、前記撮像素子に前記被写体像を読み出すための読み出しパルスを供給する撮像素子駆動手段を備え、前記ページサイズ変更手段は、前記撮像素子から前記被写体像の読み出しが開始された際に前記ページ単位のサイズを大きくし、前記前記撮像素子から前記被写体像の１フレームの読み出しが完了した際に前記ページ単位のサイズを元に戻すことを特徴とする請求項１乃至３の何れかに記載の撮像装置。
【請求項５】
被写体像が写し込まれる撮像素子と、この撮像素子に写し込まれた前記被写体像の画像情報をＤＭＡ転送するＤＭＡ転送手段と、ページ単位でメモリを管理するメモリ管理機能を備え前記ＤＭＡ転送手段を介して送られてくる前記画像情報を記憶する画像情報記憶手段と、画像情報の記憶の為に操作される操作釦と、この操作釦が操作された際に前記画像情報記憶手段に記憶された画像情報が前記ＤＭＡ転送手段を介して供給されこの供給された画像情報を圧縮して圧縮画像情報に変換しこの圧縮画像情報を前記ＤＭＡ転送手段に供給する圧縮手段と、この圧縮手段からの前記圧縮画像情報を前記ＤＭＡ転送手段を介して受取りこの受け取った圧縮画像情報を記憶する圧縮画像記憶手段と、前記操作釦が操作された際に前記画像情報記憶手段の前記ページ単位のサイズを大きなサイズに変更するページサイズ変更手段と備えたことを特徴とする撮像装置。
【請求項６】
前記操作釦は、前記撮像素子に写し込まれた被写体の静止画圧縮画像情報を前記圧縮画像記憶手段に記憶させる操作釦であることを特徴とする請求項５に記載の撮像装置。
【請求項７】
前記操作釦は、前記撮像素子に写し込まれた被写体の動画圧縮画像情報を前記圧縮画像記憶手段に記憶させる操作釦であることを特徴とする請求項５に記載の撮像装置。
【請求項８】
更に、前記撮像素子に前記被写体像を読み出すための読み出しパルスを供給する撮像素子駆動手段を備え、前記ページサイズ変更手段は、前記操作釦の操作後前記撮像素子から前記被写体像の読み出しが開始された際に前記ページ単位のサイズを大きくし、前記前記撮像素子から前記被写体像の１フレームの読み出しが完了した際に前記ページ単位のサイズを元に戻すことを特徴とする請求項５乃至７の何れかに記載の撮像装置。
【発明の詳細な説明】
【技術分野】
【０００１】
この発明は、画像情報の転送効率を向上させた撮像装置に関する。
【背景技術】
【０００２】
従来、ページ単位でメモリを管理するメモリ管理機能を備えた記憶装置にあっては、データをＤＭＡ（ダイレクト・メモリ・アクセス）転送によってメモリに書き込んだり読み出したりする際に、メモリのページ単位のサイズ（ページサイズ）を大きくすることによってＤＭＡ転送の転送サイズを大きく出来ることが知られている（特許文献１参照）。ＤＭＡ転送は、ＣＰＵとは独立してデータの転送が出来るため種々の装置で用いられており、電子カメラなどの画像データを転送する撮像装置においてもＤＭＡ転送を用いることが知られている（特許文献２参照）。
【特許文献１】特開２００１−０２２６３３号
【特許文献２】特開２００４−０３２２７８号
【発明の開示】
【発明が解決しようとする課題】
【０００３】
しかして、特許文献１に記載されているようにページサイズを大きくすることによってＤＭＡ転送の転送サイズを大きく出来ることから、特許文献２に記載されているような撮像装置にあっても、ページサイズを大きくして転送効率を上げることが考えられるが、転送するデータ量が少ない時にページサイズを大きくしておくとメモリの活性化領域が増えて無駄な電力消費がなされる欠点があった。
【０００４】
本発明は、上記の事情に鑑みてなされたもので、ページサイズを転送すべきデータ量に応じて変更することによって効率的なＤＭＡ転送を行い無駄な電力消費を防止し得る撮像装置を提供することを目的とする。
【課題を解決するための手段】
【０００５】
上記課題を解決するために、本発明の請求項１の撮像装置は、被写体像が写し込まれる撮像素子と、この撮像素子に写し込まれた前記被写体像の画像情報をＤＭＡ転送するＤＭＡ転送手段と、ページ単位でメモリを管理するメモリ管理機能を備え前記ＤＭＡ転送手段を介して送られてくる前記画像情報を記憶する画像情報記憶手段と、この画像情報記憶手段に記憶された前記画像情報が前記ＤＭＡ転送手段を介して供給されこの供給された画像情報を表示する表示手段と、前記画像情報記憶手段の前記ページ単位のサイズを変更するページサイズ変更手段と備えたことを特徴とする。
【０００６】
また、請求項２は、更に、前記画像情報記憶手段に記憶された画像情報が前記ＤＭＡ転送手段を介して供給され、この供給された画像情報の解像度を変換し、この変換された画像情報を前記ＤＭＡ転送手段を介して前記表示手段に供給する解像度変換手段を備えていることを特徴とする。
【０００７】
更に、請求項３は、前記画像情報記憶手段に記憶された画像情報が前記ＤＭＡ転送手段を介して供給され、この供給された画像情報を圧縮して圧縮画像情報に変換し、この圧縮画像情報を前記ＤＭＡ転送手段に供給する圧縮手段と、この圧縮手段からの前記圧縮画像情報を前記ＤＭＡ転送手段を介して受取り、この受け取った圧縮画像情報を記憶する圧縮画像記憶手段とを備えたことを特徴とする。
【０００８】
更にまた、請求項４は、前記撮像素子に前記被写体像を読み出すための読み出しパルスを供給する撮像素子駆動手段を備え、前記ページサイズ変更手段は、前記撮像素子から前記被写体像の読み出しが開始された際に前記ページ単位のサイズを大きくし、前記前記撮像素子から前記被写体像の１フレームの読み出しが完了した際に前記ページ単位のサイズを元に戻すことを特徴とする。
【０００９】
請求項５に記載の撮像装置は、被写体像が写し込まれる撮像素子と、この撮像素子に写し込まれた前記被写体像の画像情報をＤＭＡ転送するＤＭＡ転送手段と、ページ単位でメモリを管理するメモリ管理機能を備え前記ＤＭＡ転送手段を介して送られてくる前記画像情報を記憶する画像情報記憶手段と、画像情報の記憶の為に操作される操作釦と、この操作釦が操作された際に前記画像情報記憶手段に記憶された画像情報が前記ＤＭＡ転送手段を介して供給されこの供給された画像情報を圧縮して圧縮画像情報に変換しこの圧縮画像情報を前記ＤＭＡ転送手段に供給する圧縮手段と、この圧縮手段からの前記圧縮画像情報を前記ＤＭＡ転送手段を介して受取りこの受け取った圧縮画像情報を記憶する圧縮画像記憶手段と、前記操作釦が操作された際に前記画像情報記憶手段の前記ページ単位のサイズを大きなサイズに変更するページサイズ変更手段と備えたことを特徴とする。
【００１０】
また、請求項６は、前記操作釦が、前記撮像素子に写し込まれた被写体の静止画圧縮画像情報を前記圧縮画像記憶手段に記憶させる操作釦であることを特徴とする。更に、請求項７は、前記操作釦が、前記撮像素子に写し込まれた被写体の動画圧縮画像情報を前記圧縮画像記憶手段に記憶させる操作釦であることを特徴とする。
【００１１】
更にまた、請求項８は、前記撮像素子に前記被写体像を読み出すための読み出しパルスを供給する撮像素子駆動手段を備え、前記ページサイズ変更手段は、前記操作釦の操作後前記撮像素子から前記被写体像の読み出しが開始された際に前記ページ単位のサイズを大きくし、前記前記撮像素子から前記被写体像の１フレームの読み出しが完了した際に前記ページ単位のサイズを元に戻すことを特徴とする。
【発明の効果】
【００１２】
本発明によれば、撮像素子に写し込まれた被写体像を一旦画像記憶手段に記憶させ、その後表示させたり或いは圧縮して圧縮画像記憶手段に記憶させるといったことを行わせる撮像装置、即ち大量の画像情報をＤＭＡ転送させなければならない撮像装置であっても、ＤＭＡ転送の効率を高め迅速な処理が出来るばかりか、消費電力を低く抑えることが出来る効果を有するものである。
【発明を実施するための最良の形態】
【００１３】
図１は、本発明による撮像装置、例えば静止画及び動画を記憶できるデジタルカメラの回路構成図である。図において、制御部１は、図示していないＣＰＵ、ＲＯＭ、ＲＡＭ等から構成されている。上記ＲＯＭにはデジタルカメラ全体の動作を制御するための処理プログラムやカメラの機能や撮影条件などの表示データが記憶されており、制御部１は後述する各部に上記処理プログラムに従った制御信号や表示データを出力する。
【００１４】
撮像素子であるＣＣＤ２の前方には、レンズや絞りなどの光学系３が配置されており、この光学系３は制御部１からの信号で駆動制御される光学系制御部４によって移動され絞り量の設定や焦点合わせ、ズーム動作などがなされる。前記光学系３を介してＣＣＤ２に写し込まれた外部の被写体像のアナログ信号は、ＣＣＤ駆動ドライバ５から供給される読み出しパルスによって読み出され、ＣＤＳ（雑音除去）／ＡＧＣ（自動利得）回路６に送られる。ＣＤＳ／ＡＧＣ回路６は、制御部１からの制御信号によって動作しアナログ信号の相関二重サンプリングが行われて雑音が除去されると共にゲイン調整が行われる。
【００１５】
ゲイン調整された信号はＡ／Ｄ（アナログーデジタル）変換回路７でデジタル画像信号に変換され順次ＣＣＤ制御部８に送られる。このＣＣＤ制御部８は、制御部１からの制御信号によって動作し、ＣＣＤ駆動ドライバ５に駆動開始信号（以下、ＣＣＤ垂直同期信号と称呼する。）及び駆動停止信号（以下、ＣＣＤ転送停止信号と称呼する。）を供給するもので、ＣＣＤ駆動ドライバ５は、ＣＣＤ垂直同期信号を受けてＣＣＤ２に読み出しパルスの供給を開始しＣＣＤ転送停止信号を受けて読み出しパルスの供給を停止する。尚、ＣＣＤ垂直同期信号の出力からＣＣＤ転送停止信号迄の期間は、ＣＣＤ２から１フレーム分の信号を読み出す期間である。
【００１６】
しかして、ＣＣＤ制御部８は、上記ＣＣＤ垂直同期信号に同期した信号８Ａ及びＣＣＤ転送停止信号に同期した信号８Ｂを後述するメモリ制御部１１に供給すると共に、このデジタルカメラの動作状態、即ち、動作モードが撮影モードに設定されているのか、再生モードに設定されているのか、撮影モード或いは再生モードにおいて、撮影中又は再生中か、或いは撮影又は再生の待機状態か等の動作状態に応じた転送モード信号８Ｃをメモリ制御部１１に供給する。
【００１７】
上記ＣＣＤ２から読み出されて転送される信号の量と速度は、カメラの動作状態によって異なるもので、例えば、撮影モードに設定されていてＣＣＤ２に写し込まれている被写体像をモニター表示部（電子的ファインダ表示部）に表示させる場合には、モニター表示部の解像度が小さいためＣＣＤ２の全画素の信号を転送する必要が無く間引いた信号でよいが、モニター表示中に静止画を記憶する場合にはＣＣＤ２の全画素の信号を転送する必要がある。また、動画を記憶させる場合には、間引いた信号でもよいが、１秒間に３０フレーム或いは６０フレームを記憶させなければならないため転送速度を速くしなければならない。
【００１８】
従って、ＣＣＤ制御部８は、カメラの動作状態を示すデータを制御部１から受取り、受け取ったデータに応じてＣＣＤ２の読み出しを制御すると共に、動作状態に応じた転送モード信号８Ｃをメモリ制御部１１に供給する。
【００１９】
また、ＣＣＤ制御部８は、前記Ａ／Ｄ（アナログーデジタル）変換回路７からのデジタル画像信号を画像処理回路９に順次供給する。画像処理回路９では送られてきたデジタル画像信号にホワイトバランス補正などの画像処理を行った後、ＤＭＡ転送用のバスライン（データライン、アドレス制御ライン）を備えたＤＭＡ転送部１０を介して画像処理された画像信号をメモリ制御部１１に送り、内部メモリ１２に記憶させる。
この内部メモリ１２は、ＤＲＡＭ（Direct Random Access Memory）、ＳＤＲＡＭ（Synchronous DRAM）等の大容量の記憶素子などから構成され、ページ単位で内部メモリ１２を管理するメモリ管理機能を備えており、そのページサイズはメモリ制御部１１からのサイズ変更信号によって変更できるように構成されている。
【００２０】
また、内部メモリ１２には、ＤＭＡ転送部１０を介してＣＣＤ２から送られてくる画像信号を順次記憶し１フレームの画像信号を格納する格納領域が設けられている。また、内部メモリ１２には、後述する画像データから輝度（Ｙ）と色差（ＵＶ）の信号に生成されたＹＵＶ画像データ、このＹＵＶ画像データから解像度を変換して生成した解像度変換ＹＵＶ画像データ及びＹＵＶ画像データを圧縮若しくは伸張した圧縮ＹＵＶ画像データをフレーム単位でそれぞれ記憶する格納領域が設けられている。また、制御部１のＲＯＭに予め記憶されている表示データ等を格納する格納領域も備えられている。
【００２１】
上記メモリ制御部１１は、内部メモリ１２のページサイズを設定すると共に、ＤＭＡ転送部１０を介してＤＭＡ転送によって送られてくる画像情報を各格納領域に記憶し、また、格納領域に記憶された画像情報を読み出してＤＭＡ転送部１０を介して転送するものである。この場合、メモリ制御部１１による内部メモリ１２のページサイズの設定は、撮像制御部８から送られてくる転送モード信号８Ｃの内容に応じて予め定められており、この点については後述する。
【００２２】
内部メモリ１２に記憶されたＣＣＤ２からの画像データは、メモリ制御部１１を介して直ちに読み出され、ＤＭＡ転送部１０を介してＹＵＶ変換回路１３に送られる。ＹＵＶ変換回路１３は、画像データから輝度信号（Ｙ）と色差信号（ＵＶ）からなるＹＵＶ画像データを生成する。生成されたＹＵＶ画像データは、ＤＭＡ転送部１０を介してメモリ制御部１１に送出され、内部メモリ１２に記憶される。
【００２３】
内部メモリ１２に書き込まれた輝度（Ｙ）、色差（ＵＶ）信号のＹＵＶ画像情報は、メモリ制御部１１を介して内部メモリ１２から読み出され、ＤＭＡ転送部１０を介して解像度変換回路１４に送られる。この解像度変換回路１４では、送られて来たＹＵＶ画像情報の解像度を表示用のデータに変換し、変換された表示用のデータはＤＭＡ制御部１０を介して表示制御部１５に送られ、カラーのマトリクス液晶装置からなる表示装置１６に表示される。
【００２４】
撮影された静止画或いは動画は、このデジタルカメラに着脱可能なフラッシュメモリなどから構成される大容量のメモリである外部メモリ１７に記憶されるもので、即ち、内部メモリ１２に記憶されたＹＵＶ画像情報が、メモリ制御部１１、ＤＭＡ転送部１０を介して圧縮・伸張回路１９に送られ、例えば、静止画であればＪＰＥＧ規格形式の画像情報、動画であればモーションＪＰＥＧ或いはＭＰＥＧ規格形式の画像情報に圧縮符号化された後、ＤＭＡ転送部１０を介して媒体制御部１８に送られ、外部メモリ１７に記憶される。
【００２５】
センサ部２０は、被写体までの距離、被写体の色温度或いは被写体の明るさなどを検出するセンサであり、その検出値は制御部１に送られ、制御部１ではその検出値に応じて光学系制御部４に制御信号を出力し、また、画像処理部９にホワイトバランス補正値などを出力する。
【００２６】
時計回路部２１は、現在の年、日付及び時分などの現在時刻情報を計数するもので、時計回路部２１から出力される現在時刻情報は、制御部１を介してＤＭＡ制御部１０に送られ、更にＤＭＡ転送部１０を介して内部メモリ１２に記憶された後、更に、ＤＭＡ転送部１０を介して表示制御部１５に送られ表示装置１６に表示される。ＤＭＡ制御部２２は、上記時刻情報や制御部１のＲＯＭに記憶されている表示データを送出する以外に、ＤＭＡ転送部１０でのＤＭＡ転送を制御するコントローラを備えており、ＤＭＡ転送部１０での転送チャンネルの切換等の制御を行うものである。
【００２７】
釦入力部２３は、詳細は図示していないが、デジタルカメラの電源を投入する電源釦や、撮影モード、再生モード、消去モードなどのモードを切換えるモード切替釦、静止画を撮像して外部メモリ１７に記憶させるシャッター釦、動画を撮影して外部メモリ１７に記憶させる撮影開始及び停止釦、記憶された動画を再生する再生開始及び停止釦、撮影時の撮影条件（シャッタースピード、露出量、画質、記憶画像の大きさ等）を事前に設定する各種設定釦等を備えている。
【００２８】
電源部２４は、釦電池やこの釦電池の出力電圧から各種の電圧を発生させる電源回路から構成され、電源オン時に、各部に必要とされる電圧を供給するものである。尚、電源オフ状態であっても、この電源部２４からは、制御部１や内部メモリ１２等には必要最小限の電源が供給され、内部に記憶されているデータを保持したり電源釦の投入を受け付けたり出来るようになっている。
【００２９】
次に、上記の如く構成されたデジタルカメラの動作について説明する。
【００３０】
図２は、上記デジタルカメラの電源投入後のフローチャートである。電源ボタンが操作されると、まずステップＳ１では、内部メモリ１２のページサイズを例えば３２ｂｙｔｅ（バイト）の小サイズに設定する。即ち、電源投入直後であることのモード信号が制御部１から撮像制御部８に送られ、撮像制御部８では、このモード信号を転送モード信号８Ｃによってメモリ制御部１１に供給する。メモリ制御部１１では、供給された転送モード信号８Ｃにより内部メモリ１２のページサイズを３２ｂｙｔｅに設定する。
【００３１】
次のステップＳ２では、電源投入後の初期画面表示がなされる。即ち、制御部１は、制御濡１のＲＯＭに記憶されている表示データ、例えば、電源投入直後であることを示す文字データや現在設定されているモード名の文字データなどをＤＭＡ制御部２２及びＤＭＡ転送部１０を介してメモリ制御部１１に送り内部メモリ１２に記憶させる。また、時計回路２１の現在時刻情報をＤＭＡ制御部２２及びＤＭＡ転送部１０を介してメモリ制御部１１に送り内部メモリ１２に記憶させる。内部メモリ１２に記憶されたこれらの情報は、直ちに読み出され、ＤＭＡ転送部１０を介して表示制御部１５にＤＭＡ転送されて表示装置１６で表示される。
【００３２】
この初期画面表示は、例えば、予め定められた時間、例えば３秒程度行われて次のステップＳ３に進む。
【００３３】
ステップＳ３では、電源投入がなされた時のモード（前回電源が切られた時のモードを制御部１内部のＲＡＭに記憶しており、その記憶内容によるモード。）が、撮影モードか否かが判断される。撮影モードであった時（Ｙ）は次のステップＳ４に進むが、撮影モードでなかった時（Ｎ）にはステップＳ５に進み、モードの判別とそのモードに応じた表示などの処理が行われる。ステップＳ３で撮影モードであることが判断されステップＳ４に進んだ場合、ステップＳ４では、内部メモリ１２のページサイズを例えば６４ｂｙｔｅの中サイズに設定する。即ち、撮影モードであることのモード信号が制御部１から撮像制御部８に送られ、撮像制御部８では、このモード信号を転送モード信号８Ｃによってメモリ制御部１１に供給する。メモリ制御部１１では、供給された転送モード信号８Ｃにより内部メモリ１２のページサイズを６４ｂｙｔｅに設定する。
【００３４】
次のステップＳ６では、ＣＣＤ２に写し込まれている被写体像をリアルタイムで表示装置１６に表示させ表示装置１６を電子ファインダとして機能させるスルー表示の処理が行われる。この処理は、まず、制御部１から撮影モードのスルー表示モードであることのモード信号が撮像制御部８に送られる。撮像制御部８はこのモード信号を受け取るとＣＣＤ駆動ドライバ５にＣＣＤ垂直同期信号を送ってＣＣＤ駆動ドライバ５からＣＣＤ２に読み出しパルスを出力させ、これによってＣＣＤ２から出力された信号に基づくデジタル画像情報がＡ／Ｄ変換回路７から供給されると、このデジタル画像情報を画像処理回路９に送る。画像処理回路９では画像処理した画像情報をＤＭＡ転送部１０を介してメモリ制御部１１に送り内部メモリ１２に記憶させる。メモリ制御部１１は記憶された画像情報を読み出して解像度変換回路１３に送って表示用のデータに変換させ、この解像度変換回路１３で変換された表示用のデータが表示制御部１５に送られて表示装置１６に表示されるものである。
【００３５】
この場合、撮像制御部８から画像処理部９に供給されるデジタル画像データは、ＣＣＤ２の全画素分のデータでなく一部のラインの画素データが間引かれた画像データとなっている。これは、表示装置１６の解像度が低く全画素のデータを必要としないからである。この画素データの間引きは、撮像制御部８にて行ってもよく或いはＣＣＤ２から信号を間引いて読み出す様にしてもよい。
【００３６】
図３は、上記ステップＳ６のスルー表示の期間においてメモリ制御部１１によって行われるフローチャートを示している。ステップＳ２１では、撮像制御部８からＣＣＤ垂直同期信号に同期した信号８Ａが供給されたか否かを判断する。信号８Ａが供給されると次のステップＳ２２では、ＤＭＡ転送処理を実行する。即ち、画像処理回路９から内部メモリ１２への画像情報転送、制御部１のＲＯＭに記憶された表示データ（例えば、撮影モードの文字データ）及び現在時刻情報の内部メモリ１２への転送、内部メモリ１２とＹＵＶ変換回路１３との画像情報の授受、内部メモリ１２から解像度変換回路１４への画像情報転送、或いは解像度変換回路１４から表示制御部１５へ表示データの転送などがＤＭＡ制御部２２の制御の下に実行される。この場合、内部メモリ１２のページサイズは、図１のステップＳ４で中サイズ（６４ｂｙｔｅ）に設定されているため、ステップＳ２の初期画面表示のＤＭＡ転送（ページサイズは小サイズの３２ｂｙｔｅ）より転送サイズが大きく、その為、ＤＭＡ転送のバースト転送量が大きくなり、少ないバーストサイクルで効率的に転送が行われる。
【００３７】
そして、ステップＳ２３で撮像制御部１１からＣＣＤ転送停止信号に同期した信号８Ｂが供給されたことが検出されるとステップＳ２４に進み、内部メモリ１２のページサイズを小サイズ３２ｂｙｔｅに設定し、次のステップＳ２５でページサイズ３２ｂｙｔｅに基づくＤＭＡ転送が行われる。即ち、ＣＣＤ転送停止信号に同期した信号８Ｂが供給されたということは、ＣＣＤ２から１フレーム分の転送が完了したことを意味するものであり、それ故、画像処理回路９から内部メモリ１２への画像情報転送が無くなってＤＭＡ転送部１０のトラフィックが小さくなるので、内部メモリ１２のページサイズを小サイズ３２ｂｙｔｅに設定して内部メモリ１２の活性化領域を小さくし消費電力を押さえるようにしたものである。尚、ＣＣＤ転送停止信号に同期した信号８Ｂが出力された時点で１フレーム分のＤＭＡ転送が完了していない場合には、完了を待ってページサイズを小サイズ３２ｂｙｔｅに設定してもよい。
【００３８】
しかして、ステップＳ２１で信号８Ａが検出されない時、即ち、撮影モードに入ったにもかかわらず、ＣＣＤ２からの画像情報の転送が直ちに行われなかった場合、或いは１フレーム分の転送が完了した後、次のＣＣＤ垂直同期信号に同期した信号８Ａがこない場合にも、ステップＳ２４に進んでページサイズを小さくしＤＭＡ転送（この場合は、例えば、制御部１のＲＯＭに記憶された表示データ及び現在時刻情報の内部メモリ１２への転送等）を行わせる。
【００３９】
図３に示した、スルー表示の為のＣＣＤ２から送られてくる１フレームの画像情報を含むＤＭＡ転送処理がメモリ制御部１１によって行われている際に、制御部１では図１のステップＳ６からステップＳ７に進み、静止画の撮影記憶の為にシャッター釦が走査されたか否かが判断され、シャッター釦が操作されていない時にはステップＳ１０で動画撮影の開始釦、ステップＳ１４で撮影モードを他のモードに切り換えるモード切替釦がそれぞれ走査されたか否かが検出される。いずれのボタンも操作されていない場合には、ステップＳ４に戻り、ページサイズを６４ｂｙｔｅの中サイズの変更しステップＳ６のスルー表示処理に戻る。これによってメモリ制御部１１では、画像処理回路９から送られてくる次の１フレームの画像情報をスルー表示させるためのＤＭＡ転送処理が行われる。
【００４０】
このようにして、撮影モードにおいては、ＤＭＡ転送する情報としてＣＣＤ２からのスルー表示用の画像情報が含まれる場合にはページサイズを大きくし、これによって転送サイズを大きくして効率よく転送を行い、含まれない場合にはページサイズを小さくして消費電力を押さえるように構成されている。
【００４１】
ステップＳ７で、シャッター釦が操作されたことが検出されるとステップＳ８に進む。ステップＳ８では、制御部１は撮像制御部８に対して静止画の撮影記憶モードであることを示すモード信号を供給し、撮像制御部８はこれを受けてメモリ制御部１１に静止画の撮影記憶モードであることを示すモード信号８Ｃを供給する。メモリ制御部１１は、このモード信号８Ｃを受けると内部メモリ１２のページサイズを１２８ｂｙｔｅ（大サイズ）に設定させる。
【００４２】
そして次のステップＳ９では、シャッター釦が操作された時にＣＣＤ２に写し込まれていた被写体像の静止画の画像情報を外部メモリ１７に記憶させる。この場合の動作は、ＣＣＤ２から全画素の信号が読み出され、全画素に対応するデジタル画像情報が画像処理回路９で画像処理されてＤＭＡ転送部１０を介して内部メモリ１２に送られて記憶される。記憶された画像情報は、ＹＵＶ変換回路１３に送られで変換されて内部メモリ１２に戻された後、更に読み出されて圧縮伸張回路１９に送られて圧縮されて外部メモリ１７に記憶される。
【００４３】
この場合のＤＭＡ転送部１０での情報のＤＭＡ転送は、内部メモリ１２のページサイズが１２８ｂｙｔｅ（大サイズ）に設定されているため３２ｂｙｔｅ、６４ｂｙｔｅの場合に比べて更に効率的に行われるもので、即ち、メモリ制御部１１は図３で示したようにステップＳ２１でＣＣＤ垂直同期信号に同期した信号８Ａが供給されたか否かを判断し、信号８Ａが供給されると共に画像処理回路９から画像情報が供給されるとステップＳ２２でページサイズが１２８ｂｙｔｅ（大サイズ）に基づくＤＭＡ転送が行われる。そして、画像処理回路９からの画像情報の供給が完了したことを示す信号８Ｂが供給されるとステップＳ２３でこれを判断し、次のステップＳ２４でページサイズを３２ｂｙｔｅに設定し、ページサイズ１２８ｂｙｔｅに基づくＤＭＡ転送を停止する。即ち、ＣＣＤ２に写し込まれた静止画像の外部メモリ１７への記憶のためにＣＣＤ２の全画素に対応する画像情報を内部メモリ１２に記憶及び読み出しを行わせる際にはページサイズを１２８ｂｙｔｅにして効率的に行わせ、これが終了するとページサイズを小さくして消費電力を押さえるものである。
【００４４】
図２のステップＳ１０で、動画の撮影開始釦が操作されたことが検出された際は、ステップＳ８同様に、ページサイズを１２８ｂｙｔｅに設定する。即ち動画記憶の場合には、１秒間３０又は６０フレームの記憶が必要であり、その為ページサイズを１２８ｂｙｔｅに設定して効率的なＤＭＡ転送を行って動画記憶を行わせるものである。ステップＳ１０でページサイズが１２８ｂｙｔｅに設定された後は、ステップＳ１２で動画撮影（記憶）の処理が行われ、この処理は動画停止釦が操作されたことがステップＳ１３で検出されるまで継続するものである。上記ステップＳ１２の動画撮影処理は、メモリ制御部１１によって図３に示したフローが実行され撮影された画像がＤＭＡ転送されて外部メモリ１７に順次記憶されているものであるが、図３については既に説明してあるのでここでの説明は省略する。
【００４５】
ステップＳ１０で動画撮影釦が操作されていないことが判断された場合は、ステップＳ１４に進み、撮影モードを他のモードに変更するためのモード切替釦が操作されたか否かが検出され、モード切替釦が操作されたことが検出された際にはステップＳ１５によってモードが再生モードや消去モードなどに変更されるが、モード切替釦が操作されていない場合には、ステップＳ４に戻りスルー表示が継続される。
【００４６】
尚、上記実施の形態では、制御部１からのモード信号に応じてメモリ制御部１１でページサイズを設定した後、ＣＣＤ垂直同期信号に同期した信号８Ａの供給を待って設定したページサイズでＤＭＡ転送を行うようにしたが、メモリ制御部１１において、ＣＣＤ垂直同期信号に同期した信号８Ａが供給されたか否かを判断し、更にその時モードを判断してページサイズを設定しその後ＤＭＡ転送を行うようにしてもよい。
【００４７】
図４は、再生モードにおけるページサイズの変更処理を示している。即ち、再生モードにはいると、ステップＳ３１で内部メモリ１２のページサイズを小サイズに設定する。次にステップＳ３２では、選択画面表示処理が行われる。即ち、既に記憶されている静止画像或いは動画像のファイル名などが表示され、ユーザがその内の一つを選択できる画像を表示する。選択釦などによってファイルの一つが選択され、再生開始釦などが操作されるとステップＳ３２でこれが検出され、ステップＳ３４に進んでページサイズが大サイズの変更され、次のステップＳ３５で選択されたファイルの再生処理がなされる。即ち、ステップＳ３２の選択画面表示ではＤＭＡ転送される情報は、ファイル名や現在時刻情報等データ量の少ない情報であるのでページサイズを小サイズに設定してメモリの活性化領域を少なくして消費電力を低く抑え、再生処理では画像情報をＤＭＡ転送させるためにページサイズを大きくして転送効率を上げているものである。
【００４８】
しかして、再生処理は、ステップＳ３６で再生停止釦が操作されたことが検出されるまで継続し、再生停止釦が操作されたことが検出されるとステップＳ３１に戻る。上記ステップＳ３３で、再生開始釦の操作が検出されなかった場合にはステップＳ３７に進みモード変更釦が操作されたか否かが検出され、モード切替釦が操作されたことが検出された際にはステップＳ３８によってモードが変更され、モード切替釦が操作されていない場合には、ステップＳ３１に戻る。
【００４９】
このように、再生モードではＣＣＤ２からの画像情報をＤＭＡ転送する処理は存在しないが、ＤＭＡ転送される情報量に応じてページサイズを変更して消費電力や転送効率を適切な状態にしているものである。
【００５０】
尚、上記の実施の形態では、撮像制御部８からのデジタル画像信号を画像処理回路９で処理し、一旦内部メモリ１１に記憶してからＹＵＶ変換回路１３でＹＵＶ画像データに変換するようにしたが、画像処理回路９での処理の後にＹＵＶ変換回路１３を設け、ＹＵＶ画像データに変換してから内部メモリ１２に記憶させるようにしてもよい。また、解像度変換回路１４で解像度変換された画像情報は、一旦内部メモリに記憶させてから表示制御部１５にＤＭＡ転送させてもよいものである。
【００５１】
また、上記の実施の形態では、内部メモリ１２のページサイズを、３２、６４、及び１２８ｂｙｔｅに変更する例について述べたが、ページサイズの大きさは上記の例に限定されず他の大きさであってもよい。また、内部メモリ１２と外部メモリ１７の両方を備えた例について述べたが、外部メモリ１７だけを設け、この外部メモリに１７に内部メモリ１２で述べた記憶領域を持たせて上述したＤＭＡ転送を行わせてもよい。
【００５２】
更に、本発明はデジタルカメラに限定されず、携帯電話、ＰＤＡ（パーソナル・デジタル・アシスタンツ）、ＨＴ（ハンデイーターミナル）等であっても、撮像素子を備えＤＭＡ転送によってデータを転送するものであればあらゆる電子機器に適用できるものである。
【図面の簡単な説明】
【００５３】
【図１】本発明によるデジタルカメラの回路ブロック図。
【図２】図１のデジタルカメラの動作を示すフローチャート。
【図３】同じくＤＭＡ転送の動作を示すフローチャート。
【図４】図１のデジタルカメラの再生モードにおける動作を示すフローチャート。
【符号の説明】
【００５４】
１    制御部
２    撮像素子
９    画像処理部
１０  ＤＭＡ転送部
１１  メモリ制御部
１２  内部メモリ
１４  解像度変換回路
１６  表示装置
１９  圧縮伸張回路
２３  釦入力部
２４  電源部
【図１】
2006253993.tif 000003
【図２】
2006253993.tif 000004
【図３】
2006253993.tif 000005
【図４】
2006253993.tif 000006